(57)【要約】【課題】  ユーザ端末からのオンライン申込みを回線の輻輳を回避しつつ実現する。【解決手段】  送信局側から送信されたオンライン取引申込情報を受信する受信部と、ユーザを識別可能なＩＤを記憶可能なＩＤ記憶部と、オンライン申込受付装置へのオンライン申込みを受け付ける時間帯をＩＤ記憶部内のＩＤを用いて算出し、算出された時間帯内において、受信したオンライン取引申込情報に基づきオンライン申込受付装置へのオンライン申込みを受け付ける。オンライン申込受付装置は、複数のユーザ端末からオンライン申込みを受信した場合、各ユーザ端末がオンライン申込みの受付けを開始してからオンライン申込受付装置がユーザ端末からのオンライン申込みを受け付けるまでに要した時間に基づいて、各ユーザ端末の優先順位を決定する。【選択図】  図１
2005165843.tif 000002
【特許請求の範囲】
【請求項１】
送信局側から送信されたオンライン取引申込情報を受信する受信部と、
ユーザを識別可能なＩＤを記憶可能なＩＤ記憶部と、
オンライン申込受付装置へのオンライン申込みを受け付ける時間帯を前記ＩＤ記憶部内のＩＤを用いて算出し、算出された時間帯内において、受信したオンライン取引申込情報に基づき前記オンライン申込受付装置へのオンライン申込みを受け付けるオンライン申込制御部と、
を備えたオンライン申込装置。
【請求項２】
前記受信部は、前記オンライン申込制御部がオンライン申込みを受け付ける時間帯を算出するための補助データを前記送信局側から受信し、
前記オンライン申込制御部は、前記ＩＤ記憶部内のＩＤと、前記受信部によって受信された補助データとを用いて、オンライン申込みを受け付ける時間帯を算出することを特徴とする請求項１に記載のオンライン申込装置。
【請求項３】
オンライン取引申込情報を送信する送信局側装置と、
予め記憶あるいは入力された、各ユーザを識別可能なＩＤを用いて、オンライン申込受付装置へのオンライン申込みを受け付ける時間帯を算出し、算出された時間帯内において、受信したオンライン取引申込情報に基づきオンライン申込受付装置へのオンライン申込みを受け付ける複数のユーザ端末と、
各前記ユーザ端末からオンライン申込みを受信し、各前記ユーザ端末がオンライン申込みの受付けを開始してからオンライン申込受付装置が前記ユーザ端末からのオンライン申込みを受け付けるまでに要した時間に基づいて、各前記ユーザ端末の優先順位を決定するオンライン申込受付装置と、
を備えたオンライン申込システム。
【請求項４】
前記送信局側装置は、前記ユーザ端末がオンライン申込みを受け付ける時間帯を算出するための補助データをさらに送出し、
前記ユーザ端末は、前記送信局側装置から補助データを受信し、受信した補助データと、予め記憶あるいは入力されたＩＤとを用いて、オンライン申込みを受け付ける時間帯を算出し、
前記オンライン申込受付装置は、前記送信局側装置から補助データを受信し、受信した補助データと、予め記憶したあるいは前記ユーザ端末から受信したＩＤと、前記ユーザ端末からオンライン申込みを受け付けた時刻とを少なくとも用いて、各前記ユーザ端末がオンライン申込みの受付けを開始してから前記オンライン申込受付装置がオンライン申込みを受け付けるまでに要した時間を算出する、
ことを特徴とする請求項３に記載のオンライン申込システム。
【請求項５】
前記ユーザ端末は、受信した補助データと、予め記憶あるいは入力されたＩＤとの排他的論理を演算してオンライン申込みを受け付ける時間帯を算出することを特徴とする請求項４に記載のオンライン申込システム。
【発明の詳細な説明】
【技術分野】
【０００１】
本発明は、商品の購入等のオンライン申込みを行うオンライン申込装置、及びオンライン申込みを行った各オンライン申込装置の優先順位を決定するオンライン申込システムに関する。
【背景技術】
【０００２】
図６は、衛星放送システム、衛星通信システム、地上放送システム及び地上通信システムにおいて用いられる従来の受信装置（オンライン申込装置）５０の構成を示すブロック図である。
【０００３】
このオンライン申込装置５０は、例えば携帯端末の一部として搭載され、地上送信局等の送信局から送信された例えばオンラインショッピング情報を受信する。携帯端末のユーザは、オンラインショッピング情報に接して、商品の購入等を望む場合は、例えば購入センタ内に設置された購入センタ装置５７に携帯端末を用いてアクセスして、商品購入の申込みを行う。
【０００４】
このようなオンライン申込装置５０についてより詳細に述べれば以下の通りである。
【０００５】
アンテナ５１において受信された電波信号はチューナ５２において所定の周波数の電気信号に変換され、ＣＤＭ復調及びＦＥＣ部５３において、ＣＤＭ復調、さらに誤り訂正される。デコーダ／データ放送部５４は、誤り訂正後の信号に音声情報が含まれていればその音声情報をスピーカ（図示せず）を用いて再生し、映像情報が含まれていれば表示部（図示せず）にその映像情報を再生し、音楽及び映像以外の情報（データ情報）が含まれていればそのデータ情報を例えば表示部（図示せず）に表示する。
【０００６】
デコーダ／データ放送部５４は、例えばオンラインショッピング情報（例えば音楽、映像、文字等のデータを含む）を受信してその内容を再生／表示し、ユーザから操作部（図示せず）を介して商品の購入等の指示を受け取った場合は、オンライン購入サービス処理部５５に処理を移行する。即ち、オンライン購入サービス処理部５５は、購入センタ装置５７に対して回線（携帯電話網、電話網、インターネット等）を介してオンライン申込装置５０を接続して、ユーザから入力された商品の申込情報等を送出する。
【特許文献１】特開２００１−１９５６１２号公報
【特許文献２】特開２００２−１６３５１２号公報
【特許文献３】特開２００１−３３１４４５号公報
【特許文献４】特開２００１−３４４４４５号公報
【特許文献５】特開平１０−１３４１１３号公報
【発明の開示】
【発明が解決しようとする課題】
【０００７】
しかし、上述したオンライン購入装置の構成では、オンラインショッピング情報に接した多数のユーザが同時にアクセスした場合に回線が輻輳する問題がある。
【０００８】
特に、先着○○名様まで購入可能であるというオンラインショッピング情報が一斉に各ユーザの端末に流れた場合、多数のユーザが同時に購入センタ装置５７にアクセスする可能性が高くなり、この場合回線の輻輳の程度がより大きくなる。
【０００９】
本発明は、上記事情を考慮してなされたものであり、その目的は、ユーザによるオンライン申込みを回線の輻輳を回避しつつ実現可能なオンライン申込装置、及びオンライン申込みの申込順位を回線の輻輳を回避して決定可能なオンライン申込システムを提供することにある。
【課題を解決するための手段】
【００１０】
本発明のオンライン申込装置は、送信局側から送信されたオンライン取引申込情報を受信する受信部と、ユーザを識別可能なＩＤを記憶可能なＩＤ記憶部と、オンライン申込受付装置へのオンライン申込みを受け付ける時間帯を前記ＩＤ記憶部内のＩＤを用いて算出し、算出された時間帯内において、受信したオンライン取引申込情報に基づき前記オンライン申込受付装置へのオンライン申込みを受け付けるオンライン申込制御部と、を備えたものとして構成される。
【００１１】
本発明のオンライン申込システムは、オンライン取引申込情報を送信する送信局側装置と、予め記憶あるいは入力された、各ユーザを識別可能なＩＤを用いて、オンライン申込受付装置へのオンライン申込みを受け付ける時間帯を算出し、算出された時間帯内において、受信したオンライン取引申込情報に基づきオンライン申込受付装置へのオンライン申込みを受け付ける複数のユーザ端末と、各前記ユーザ端末からオンライン申込みを受信し、各前記ユーザ端末がオンライン申込みの受付けを開始してからオンライン申込受付装置が前記ユーザ端末からのオンライン申込みを受け付けるまでに要した時間に基づいて、各前記ユーザ端末の優先順位を決定するオンライン申込受付装置と、を備えたものとして構成される。
【発明の効果】
【００１２】
本発明によれば、オンライン申込みを受け付ける時間帯をユーザごとに変えるようにしたので、回線の輻輳を回避しつつ、ユーザからのオンライン申込みを受け付けることができる。
【発明を実施するための最良の形態】
【００１３】
図１は、本発明の実施の形態としてのオンライン申込システムの構成を示すブロック図である。
【００１４】
このオンライン申込システムは、各種データを電波信号として送信する送信局１９と、オンラインによる商品購入等の申込みを行うオンライン申込装置（受信装置）１０と、オンラインによる商品購入等の申込みを受け付ける購入センタ装置１７とを備える。
【００１５】
オンライン申込装置１０は、衛星放送システム、衛星通信システム、地上放送システムあるいは地上通信システム等において用いられる携帯端末等に搭載される。
【００１６】
チューナ１２は、アンテナ１１によって受信された例えば衛星やギャップフィラー（ＧＦ）からの電波信号を所定の周波数の電気信号に変換して出力する。
【００１７】
ＣＤＭ（Code Division Multiplex：符号分割多重）復調及びＦＥＣ（Forward Error Correction：前方誤り訂正）部１３は、チューナ１２から受け取った電気信号をＣＤＭ復調、さらに誤り訂正して出力する。
【００１８】
デコーダ／データ放送部１４は、誤り訂正後の信号を受信し、受信した信号に音声情報が含まれていればその音声情報をスピーカ（図示せず）を介して再生し、映像情報が含まれていればその映像情報を表示部（図示せず）に再生し、音楽及び映像以外の情報（データ情報）が含まれていればそのデータ情報を例えば表示部（図示せず）に表示する。
【００１９】
但し、送信局から受け取ったデータがオンラインショッピング情報（例えば音声情報、映像情報及びデータ情報からなる）である場合は以下の処理に従う。
【００２０】
すなわち、デコーダ／データ放送部１４は、オンラインショッピング情報を受け取った場合は、ある特定値（例えばｎビットからなる乱数）を送信局１９から受け取り、オンラインショッピング情報を再生／表示するに先立ち、この特定値と、オンラインショッピング情報を受信した時刻（オンラインショッピング情報に所定の規定時刻が含まれる場合はその時刻）とをオンライン購入サービス制御部１６に送出する。
【００２１】
オンライン購入サービス制御部１６は、端末個別ＩＤ又はオンラインショッピング会員ＩＤをＩＤ記憶部１５から受け取る。端末個別ＩＤは端末に付されたＩＤ、オンラインショッピング会員ＩＤは契約者から付与された会員のＩＤである。
【００２２】
オンライン購入サービス制御部１６は、ＩＤ記憶部１５から受け取った端末個別ＩＤ又はオンラインショッピング会員ＩＤと上述の特定値とを用いてユーザごとのオフセット時間を算出する。このオフセット時間は、後述するようにユーザごとにオンラインショッピング情報を再生／表示する時間を変えるためのものである。オフセット時間を算出する処理について図２を用いてさらに詳しく説明する。
【００２３】
図２は、オンライン購入サービス制御部１６においてオフセット時間を算出する処理を実行する部分を具体的に示すブロック図である。
【００２４】
ＩＤ受信部３１は、端末個別ＩＤ又はオンラインショッピング会員ＩＤをＩＤ記憶部１５から受信する。これらのＩＤがＭＭＩ１８（例えば操作部）からＩＤ記憶部１５に入力された場合はＩＤ記憶部１５は入力されたものをＩＤ受信部３１に送出し、ＭＭＩ１８から入力されない場合は、予め記憶したものをＩＤ受信部３１に送出する。
【００２５】
パラメータ受信部３２はデコーダ／データ放送部１４から上述の特定値（ここでは例えばｎビットとする）を受信する。特定値は、例えば毎回異なる。
【００２６】
排他的論理和演算部３３は、端末個別ＩＤ又はオンラインショッピング会員ＩＤの下位ｎビットと、特定値（ｎビット）との排他的論理和（ＥＸ−ＯＲ）を演算する。この結果、ユーザは例えば２ｎ通りのユーザグループに分割される。送信局から特定値が送出されない場合は、排他的論理和演算部３３は、排他的論理和を演算することなく、端末個別ＩＤ又はオンラインショッピング会員ＩＤを遅延表示時間演算部３４に送出する。
【００２７】
遅延表示時間演算部３４は、排他的論理和の演算結果（ｎビット）に基づき、所定のアルゴリズムによってユーザごとのオフセット時間を算出する。
【００２８】
例えば、ｎ＝３で、ユーザが８（＝２３：０００〜１１１２）のグループに分割された場合、第１のグループに属するユーザはオフセット時間０分、第２のグループに属するユーザはオフセット時間１０分、第３のグループに属するユーザはオフセット時間２０分、第４のグループに属するユーザはオフセット時間３０分・・・第８のグループに属するユーザはオフセット時間７０分とする。
【００２９】
但し、遅延表示時間演算部３４は、送信局１９から特定値が送信されなかった場合は、排他的論理和演算部３３から受信した端末個別ＩＤ又はオンラインショッピング会員ＩＤを用いて、別のアルゴリズムによりユーザごとのオフセット時間を算出する。
【００３０】
制御部３５は、遅延表示時間演算部３４によって算出されたオフセット時間を、オンラインショッピング情報の受信時刻に加算してオンラインショッピング可能時刻を算出する。そして、現在時刻がこのオンラインショッピング可能時刻になったら、制御部３５はオンラインショッピングが可能であることを表すオンラインショッピング可能情報をデコーダ／データ放送部１４に送出する。
【００３１】
デコーダ／データ放送部１４は、制御部３５からオンラインショッピング可能情報を受け取ったら、送信局１９から受信したオンラインショッピング情報を再生／表示する。再生／表示する時間は各ユーザグループで互いに重ならないようにする。
【００３２】
例えば、送信局１９による番組放送時間が５：００〜８：００で、番組開始１時間後の６：００にオンラインショッピング情報がデコーダ／データ放送部１４に届いた場合、第１のグループは６：００〜６：０９、第２のグループは６：１０〜６：１９、・・・第８のグループは７：１０〜７：１９と、互いに重ならないようにオンラインショッピング情報を再生／表示する。
【００３３】
ユーザは、オンラインショッピング情報が再生／表示された間、オンラインショッピングが可能となり、オンラインショッピングをする場合は、希望の商品情報を、ＭＭＩ２０（例えば操作部）を用いて入力する。デコーダ／データ放送部１４は、入力された商品購入情報を受け取ってオンライン購入サービス制御部１６に送出する。
【００３４】
オンライン購入サービス制御部１６は、受け取った商品購入情報と共に、端末個別ＩＤあるいはオンラインショッピング会員ＩＤ、及びオンラインショッピング可能情報を、例えば電話回線、携帯電話回線、インターネット等を介して、購入センタ装置１７に送信する。端末個別ＩＤ及びオンラインショッピング会員ＩＤはあらかじめ購入センタ装置１７に記憶させてもよい。なお、本実施の形態において、送信局１９及びオンライン申込装置１０間の回線、オンライン申込装置１０及び購入センタ装置１７間の回線は別回線である。
【００３５】
購入センタ装置１７は、オンライン申込装置１０から商品購入情報とオンラインショッピング可能情報とを受け取ったら、端末個別ＩＤあるいはオンラインショッピング会員ＩＤと、別途、送信局１９から受信した特定値（前述したデコーダ／データ放送部１４が送信局から受け取ったものと同じもの）とを用いて、上述同様に、排他的論理和演算を行う。即ち、デコーダ／データ放送部１４が先程行った排他的論理和演算と同一の演算を購入センタ装置１７側においても行う。購入センタ装置１７がオンラインショッピング可能情報を受信するのは、オンラインショッピング可能な時間帯でないにも拘わらずオンライン申込装置１０が何らかの方法でアクセス手段を取得してアクセスしてくることを排除するためである。
【００３６】
購入センタ装置１７は、算出した演算結果を用いて上述と同様のアルゴリズムによりオフセット時間を算出し、ユーザからのオンライン申込みを実際に受け付けた時刻からこのオフセット時間を差し引いた時刻を、ユーザからのオンライン申込みを受け付けた時刻（みなし申込み時刻）とする。即ち、購入センタ装置１７は、みなし申込み時刻順にユーザからのオンライン申込みを受け付けたものとし、例えばみなし申込み時刻が早い順に優先順位を高くする。即ち、オンライン申込装置１０がオンラインショッピング情報の再生／表示を開始してから購入センタ装置１７がオンライン申込みを受け付けるまでに要した時間が短い順に優先順位を高くする。これについて図３を用いて具体的に説明する。
【００３７】
図３は、オンライン申込みを行ったユーザの優先順位を決定する処理を説明する図である。
【００３８】
各ユーザＡ〜Ｆの携帯端末にオンラインショッピング情報がそれぞれ１８：００に届いたとする。そして、「オフセット時間」の欄に示すように、各ユーザＡ〜Ｆのオフセット時間は、それぞれ、それぞれ０分、１０分、・・・、５０分と算出されたとする。この場合、「申込み可能開始時刻」の欄に示すように、各ユーザＡ〜Ｆの携帯端末にはそれぞれ１８：００、１８：１０・・、１８：５０にオンラインショッピング情報が再生／表示される。
【００３９】
この状態において、「申込み受付時刻」の欄に示すように、各ユーザＡ〜Ｆがそれぞれ１８：０９、１８：１１、・・１８：５４に購入センタ装置１７に商品購入の申込みを行ったとする。即ち、「申込み可能開始時刻から申込み受付時刻までの時間」の欄に示すように、オンラインショッピング情報の再生／表示の開始から購入センタ装置１７による申込みの受け付けまでの時間が、各ユーザＡ〜Ｆでそれぞれ９分、１分、・・・、４分であったとする。
【００４０】
購入センタ装置１７は、「みなし申込み時刻」の欄に示すように、各ユーザからのみなし申込み時刻を、「申込み受付時刻」−「オフセット時間」によって算出する。購入センタ装置１７は、「優先順位」の欄に示すように、みなし申込み時刻の順に、各ユーザＡ〜Ｆからの申込みを受け付けたものとみなす。即ち、申込み可能開始時刻から申込み受付時刻までの時間が短い順に優先順位を決定する。
【００４１】
以上のようにして、購入センタ装置１７が各ユーザの優先順位を決定したら、決定した優先順位に基づいて、各ユーザに処理の結果を通知する。例えば、オンラインショッピング情報の内容が「先着○名様まで購入可能」というものである場合、優先順位○位までのユーザには商品購入権利を獲得できた旨を通知し、それ以外のユーザには商品購入権利を獲得できなかった旨あるいはキャンセル待ちの旨等を通知する。
【００４２】
次に、図４及び図５を用いて、本オンライン申込システムによる処理ステップについて説明する。
【００４３】
図４及び図５は、オンライン申込システムによる処理ステップを示すフローチャートである。
【００４４】
まず、放送局等の送信局１９がオンラインショッピング情報及び特定値を放送波等の搬送波に乗せてオンライン申込装置（受信装置）１０に送信する（ステップＳ１）。
【００４５】
オンラインショッピング情報及び特定値を受信したオンライン申込装置１０は、ＭＭＩ１８を介して外部から端末個別ＩＤあるいはオンラインショッピング会員ＩＤが入力されたか否かを判断する（ステップＳ２）。
【００４６】
オンライン申込装置１０は、外部から端末個別ＩＤ又はオンラインショッピング会員ＩＤが入力された場合は（ステップＳ２のＹＥＳ）、外部から入力されたＩＤをオンライン購入サービス制御部１６に送出し（ステップＳ３）、一方、外部からＩＤが入力されない場合はＩＤ記憶部１５内に予め記憶されたＩＤをオンライン購入サービス制御部１６に送出する（ステップＳ４）。
【００４７】
オンライン購入サービス制御部１６は、端末個別ＩＤ又はオンラインショッピング会員ＩＤと、特定値とを用いて例えば排他的論理和演算を行ってオフセット時間（遅延時間）を算出する。放送局等の送信局１９から特定値が送信されない場合は、端末個別ＩＤ又はオンラインショッピング会員ＩＤのみを用いて所定のアルゴリズムでオフセット時間を算出する（ステップＳ５）。
【００４８】
デコーダ／データ放送部１４は、放送局等の送信局１９から受信したオンラインショッピング情報をオフセット時間だけずらして、画像や音声、文字により表示する（ステップＳ６）。
【００４９】
ＭＭＩ２０を介してユーザによって商品購入情報等が入力されたら、オンライン購入サービス制御部１６は、入力された商品購入情報等を購入センタ装置１７に送信する（ステップＳ７）。
【００５０】
購入センタ装置１７は、オンライン申込装置１０からのオンラインショッピング申込みを受け付けた時刻等を記憶する（図５のステップＳ８）。
【００５１】
購入センタ装置１７は、予め記憶した個々のユーザのＩＤ（端末個別ＩＤ又はオンラインショッピング会員ＩＤ）または受信装置と通信を行って入手したユーザのＩＤと、放送局等の送信局１９から受信した特定値とを用いてオフセット時間を算出する（ステップ９）。購入センタ装置１７は、放送局等の送信局１９から特定値を受信していない場合は、端末個別ＩＤ又はオンラインショッピング会員ＩＤを用いて所定のアルゴリズムによりオフセット時間を算出する。
【００５２】
購入センタ装置１７は、オンラインショッピング申込みを受け付けた時刻から、算出したオフセット時間を減算した時刻を、申し込みを受け付けた時刻とみなし、みなし申込み時刻順に各ユーザに対して優先順位をつける（ステップＳ１０）。
【００５３】
購入センタ装置１７は、所定の優先順位までのユーザに例えば購入権利及び購入有効期限を通知する（ステップＳ１１）。
【００５４】
購入センタ装置１７は、購入有効期限内にユーザから正式な購入の申込みを受け付けたかどうかを判断し（ステップＳ１２）、受け付けた場合は（ステップＳ１２のＹＥＳ）、ユーザに手続きの終了を通知する（ステップＳ１３）。
【００５５】
一方、購入センタ装置１７は、購入有効期限内にユーザから正式な購入の申込みを受け付けなかった場合は（ステップＳ１２のＮＯ）、ステップＳ１１に戻り、次の優先順位のユーザ（キャンセル待ち）に購入権利及び購入有効期限を通知する。
【００５６】
上述した本発明の実施の形態では、端末個別ＩＤ及びオンラインショッピング会員ＩＤのいずれかを用いてオフセット時間を算出したが、これらの両方を用いて算出してもよい。
【００５７】
また、購入センタ装置１７へのオンライン申込みをユーザからの指示をトリガにして行ったが、オンライン申込みを行う条件を予め設定しておき、この条件が成立し次第、自動的にオンライン申込みを行うようにしてもよい。
【００５８】
また、オンライン申込みの受付け時刻を購入センタ装置が申込みを受け付けた時刻としたが、オンライン申込装置がユーザによる申込みを受け付けた時刻としてもよい。
【００５９】
以上のように、本実施の形態によれば、ユーザごとにオンラインショッピング情報を表示する時間帯を変えるようにしたので、購入ユーザの発呼を分散させ、回線の輻輳を回避しつつ、ユーザからのオンラインショッピング申込みを受け付けることができる。
【００６０】
また、各ユーザの申込みを受け付ける順番（優先順位）を、オンラインショッピング情報が再生／表示されてからオンライン申込みが受け付けられるまでに要した時間により決定するようにしたので、ユーザから見た申込み順を確保した状態で、各ユーザの優先順位を決定できる。
【００６１】
また、オンラインショッピング情報の再生／表示を開始する時刻を決定するのに用いる特定値を随時変更するようにしたので、オンラインショッピング情報の再生／表示開始時刻が各ユーザ端末で固定にならず、これにより、ユーザにとって平等なシステムを実現できる。
【図面の簡単な説明】
【００６２】
【図１】本発明の実施の形態としてのオンライン申込システムの構成を示すブロック図である。
【図２】オンライン購入サービス制御部においてオフセット時間を算出する処理を実行する部分を具体的に示すブロック図である。
【図３】各ユーザの優先順位を決定する処理を説明する図である。
【図４】オンライン申込システムによる処理ステップを示すフローチャートである。
【図５】図４に続くステップを示すフローチャートである。
【図６】従来のオンライン申込装置の構成を示すブロック図である。
【符号の説明】
【００６３】
１０：受信装置（オンライン申込装置）
１１：アンテナ
１２：チューナ
１３：ＣＤＭ復調及びＦＥＣ部
１４：デコーダ／データ放送部
１５：ＩＤ記憶部
１６：オンライン購入サービス制御部
１７：購入センタ装置
１８：ＭＭＩ
１９：送信局
２０：ＭＭＩ
３１：ＩＤ受信部
３２：パラメータ受信部
３３：排他的論理和演算部
３４：遅延表示時間演算部
３５：制御部
【図１】
2005165843.tif 000003
【図２】
2005165843.tif 000004
【図３】
2005165843.tif 000005
【図４】
2005165843.tif 000006
【図５】
2005165843.tif 000007
【図６】
2005165843.tif 000008